(57)【要約】【課題】医用画像診断装置に保管された医用画像を適切に所望の機器に受け渡すことで、当該機器における医用画像の保管を更新することができる医用画像診断装置を提供する。【解決手段】実施形態の医用画像診断装置は、通信履歴保管部と、送信条件保管部と、処理部とを備える。通信履歴保管部は、医用画像を機器に送信した履歴を保管する。送信条件保管部は、医用画像の送信先の機器及び該医用画像の種別に応じた送信条件が予め記憶されている。処理部は、指定された医用画像のうち先に送信した医用画像についての送信指示を受けた場合に、送信した履歴と、保管部が保管する医用画像の管理情報とから未送信画像を特定し、送信条件を参照することで他の機器及び前記未送信画像に対応した送信条件を特定し、この送信条件に基づいて前記未送信画像を前記他の機器に送信させる。【選択図】図４
2015100579.tif 000002
【特許請求の範囲】
【請求項１】
医用画像を保管管理する保管部と、
前記保管部に保管された前記医用画像のうち指定された医用画像をネットワークによって他の機器に送信する送受信部と、
前記送受信部が前記医用画像を送信した履歴を保管する通信履歴保管部と、
前記医用画像を送信する送信先の機器及び該医用画像の種別に応じた送信条件が予め記憶されている送信条件保管部と、
前記指定された医用画像のうち先に送信した医用画像についての送信指示を受けた場合に、前記送信した履歴と、前記保管部が保管する前記医用画像の管理情報とから未送信画像を特定し、前記送信条件を参照することで前記他の機器及び前記未送信画像に対応した前記送信条件を特定し、前記送受信部に対して、該送信条件に基づいて前記未送信画像を前記他の機器に送信させる処理部と、
を備えた医用画像診断装置。
【請求項２】
前記送信条件は、前記送信先の機器の種別に対して前記医用画像が送信可能か否かを特定する送信可否情報と、前記送信先の機器の種別に対して前記医用画像が送信される場合の前記医用画像の送信単位を特定する送信単位情報と、
を含む、
ことを特徴とする請求項１に記載の医用画像診断装置。
【請求項３】
前記処理部は、前記送信可否情報によって、前記未送信画像のうち前記送受信部が前記他の機器に送信する医用画像を特定する、
ことを特徴とする請求項２に記載の医用画像診断装置。
【請求項４】
複数の画像から構成される医用画像を分割して、１枚の画像から構成される医用画像にする再構成処理と、複数の医用画像を一纏めにして、複数の画像から構成される医用画像にする再構成処理とを相互に行う画像構成部を備え、
前記処理部は、前記送受信部が前記他の機器に送信する医用画像の送信単位と前記送信単位情報によって特定された送信単位とが異なる場合には、前記画像構成部に前記医用画像の送信単位の指定に基づいて前記再構成処理をさせる、
ことを特徴とする請求項２又は３に記載の医用画像診断装置。
【請求項５】
前記画像構成部は、前記複数の画像から構成される医用画像の形態に対応する該複数の画像の種別を特定する情報を含む構成条件が予め記憶されており、
前記処理部は、前記再送信指示に医用画像の形態の指定が含まれ、前記送受信部が前記他の機器に送信する医用画像が複数の画像から構成される場合に、前記画像構成部に対して、該医用画像を構成する複数の画像から、前記医用画像の形態の指定と前記構成条件とに基づいて特定された画像を抽出させる、
ことを特徴とする請求項４に記載の医用画像診断装置。
【請求項６】
医用画像診断装置と、前記医用画像診断装置に指示入力をする操作端末とをそれぞれ少なくとも１つ備え、
前記医用画像診断装置は、
医用画像を保管管理する保管部と、
前記保管部に保管された前記医用画像のうち指定された医用画像をネットワークによって他の機器に送信する送受信部と、
前記送受信部が前記医用画像を送信した履歴を保管する通信履歴保管部と、
前記医用画像を送信する送信先の機器及び該医用画像の種別に応じた送信条件が予め記憶されている送信条件保管部と、
前記指定された医用画像のうち先に送信した医用画像についての送信指示を受けた場合に、前記送信した履歴と、前記保管部が保管する前記医用画像の管理情報とから未送信画像を特定し、前記送信条件を参照することで前記他の機器及び前記未送信画像に対応した送信条件を特定し、前記送受信部に対して、該送信条件に基づいて前記未送信画像を前記他の機器に送信させる処理部と、
を備えた医用画像診断システム。
【発明の詳細な説明】
【技術分野】
【０００１】
本発明の実施形態は、医用画像診断装置及び医用画像診断システムに関する。
【背景技術】
【０００２】
Ｘ線ＣＴ装置やＭＲＩ装置などの医用画像診断装置によって生成された医用画像は、医用画像診断装置内部に設けられた保管部に保管され、また、ネットワークを介して接続された医用画像管理システム（ＰＡＣＳ）に送信され管理される。
【０００３】
医用画像管理システム（ＰＡＣＳ）は、ネットワークを介して病院情報システム（ＨＩＳ）や放射線情報システム（ＲＩＳ）に接続されている。医師などの操作者は、ネットワークに接続されたワークステーション等の画像観察装置を用いて、医用画像管理システムから所望の医用画像を読み出すことによって、医用画像を読影することができる。
【０００４】
医用画像診断装置によって生成された医用画像は、ＤＩＣＯＭ規格に準拠しており、画像観察装置は、そのＤＩＣＯＭ規格によって規定された画像情報に基づいて医用画像を表示する。
【０００５】
従来、これらの機器において取扱う医用画像としては、単位画像データとして、画像（イメージ）単体（１枚）からなるシングル画像が単位データとして用いられていた。しかしながら、近年においては、複数の画像を含む医用画像を単位データとして用いるようになってきている。
【０００６】
複数の画像を含む医用画像は、例えば、マルチ画像と呼ばれ、この例として、時系列に取得された複数フレームの医用画像を含むマルチフレーム画像データ（エンハンストデータ）、複数位置の医用画像を含むボリュームデータ等が挙げられる。マルチフレーム画像データに対するシングル画像は、１フレームのデータであるシングルフレーム画像データと呼ばれる。
【０００７】
シングルフレーム画像データとしては、例えば、１フレームの画像に付帯情報が結合された画像データが挙げられる。ここで、付帯情報は、例えば、患者を特定するための患者情報、検査内容を特定するための検査情報、シリーズを特定するためのシリーズ情報、撮影の条件を示す撮影条件等を含む情報である。一方で、マルチフレーム画像データとしては、例えば、複数フレームの画像データに共通の付帯情報が結合した画像データが挙げられる。
【０００８】
従来において、機器間における医用画像のやり取りの際には、大量のシングル画像の送受信が必要であった。一方で、これらをマルチ画像として纏めて送受信を行うことで、医用画像をやりとりする際の送受信回数を大幅に減らすことができる。このため、ネットワークにおける通信トラフィックを軽減させることができる。
【０００９】
医用画像診断装置において生成するマルチ画像には、識別子として、例えば、ユニークＩＤ（ＵＩＤ）が付与される。このＵＩＤは、例えば、医用画像診断装置において生成した順番に付与されてもよいし、検査ごとにグループ分けして付与してもよい。特定のマルチ画像を取得したい場合には、クエリリクエストを医用画像診断装置に送信し、医用画像診断装置から所望のマルチ画像のＵＩＤを取得する。ＵＩＤの取得は、例えば、ワークステーションを操作することにより行われる。
【００１０】
ワークステーションはＵＩＤを取得すると、このＵＩＤを用いて医用画像診断装置に対し、ＰＡＣＳ等へマルチ画像の送信を要求する。医用画像診断装置が、例えば、Ｘ線ＣＴ装置の場合にあっては、取得した医用画像をＸ線ＣＴ装置内においてマルチ画像として保管し、ＰＡＣＳ等へ送信する場合には、マルチ画像をシングル画像に分割して、複数のシングル画像として送信している。
【００１１】
医用画像診断装置において生成したマルチ画像を、ワークステーション等からの要求を受けてＰＡＣＳ等へ送信すると、ＰＡＣＳ、ワークステーション等は、このマルチ画像に含まれるシングル画像の数を取得する。このとき、ワークステーションは、例えば、取得した数をマルチ画像のＵＩＤと関連付けて記憶することで、ＵＩＤに対応したマルチ画像に含まれる医用画像の枚数を認識する。
【先行技術文献】
【特許文献】
【００１２】
【特許文献１】特開２００９−７６０５３号公報
【発明の概要】
【発明が解決しようとする課題】
【００１３】
一方、医用画像診断装置は、医用画像の後処理や、追加撮影等によって検査後において新規な医用画像を追加して保管することがある。追加して保管された画像が複数ある場合には、例えば、新規なマルチ画像として一纏めにして保管される。或いは、既に保管されているマルチ画像に新しい画像が追加されることで保管がされる。
【００１４】
このとき、新規な医用画像の追加は、ＰＡＣＳに対しても操作者の操作等によって行われる。例えば、操作者の操作によって、医用画像診断装置からＰＡＣＳに対して該当する医用画像が送信される。この操作により、ＰＡＣＳには医用画像診断装置と同様な形態で新規な医用画像の追加がされる。このときＰＡＣＳの保管情報も更新される。更新された保管情報は、ワークステーションにも送信される。この保管情報を受けてワークステーションはＰＡＣＳにおける医用画像の保管状況を認識する。
【００１５】
しかしながら、上述した操作等が失念される等によって、ＰＡＣＳにおける医用画像の更新漏れが生じる場合があった。このことにより、医用画像診断装置における医用画像の保管情報と、ワークステーションが認識している保管情報との間に齟齬が生じていた。
【００１６】
この齟齬を解消するために、例えば、ワークステーションによる操作等によって、定期的にＰＡＣＳにおける保管情報の確認を行う。この場合、ワークステーションは、例えば、ＰＡＣＳに送信した医用画像に対応するＵＩＤを、医用画像診断装置に逐次問い合わせる。この処理により、ＰＡＣＳにおける医用画像の更新漏れを確認することができる。
【００１７】
しかしながら、ワークステーションが認識している医用画像のＵＩＤは、ＰＡＣＳに送信された医用画像のＵＩＤである。そのため、新規に追加された医用画像がマルチ画像の更新によって追加され、このマルチ画像に更新前と同一のＵＩＤが再び付与された場合には、ＵＩＤによる検索のみでは画像の追加を認識することができなかった。また、医用画像診断装置において新規に追加された医用画像をワークステーション側から特定するには、ＰＡＣＳに保管された膨大な量の医用画像と、医用画像診断装置に保管された膨大な量の医用画像とを、逐次比較するなどの非常に煩雑な作業を要した。
【００１８】
そのため、ワークステーションは、医用画像診断装置から医用画像を全て再送するなどをすることで、ＰＡＣＳの医用画像の更新を行なっていた。しかしながら、大量の医用画像の送受信は、非常に時間がかかり、また、通信トラフィックに多大な負荷を与えていた。
【００１９】
この実施形態は、以上のような事情に鑑みてなされたもので、医用画像診断装置に保管された医用画像を適切に所望の機器に受け渡すことで、当該機器における医用画像の保管を更新することができる医用画像診断装置を提供することを目的とする。
【課題を解決するための手段】
【００２０】
上記目的を達成するために、この発明の実施形態の医用画像診断装置は、通信履歴保管部と、送信条件保管部と、処理部とを備える。通信履歴保管部は、医用画像を機器に送信した履歴を保管する。送信条件保管部は、医用画像の送信先の機器及び該医用画像の種別に応じた送信条件が予め記憶されている。処理部は、指定された医用画像のうち先に送信した医用画像についての送信指示を受けた場合に、送信した履歴と、保管部が保管する医用画像の管理情報とから未送信画像を特定し、送信条件を参照することで他の機器及び前記未送信画像に対応した送信条件を特定し、この送信条件に基づいて前記未送信画像を前記他の機器に送信させる。
【図面の簡単な説明】
【００２１】
【図１】第１の実施形態に係る医用画像診断システムの全体構成を示すブロック図である。
【図２】第１の実施形態に係る医用画像診断システムのハードウェア構成を示すブロック図である。
【図３】第１の実施形態に係る医用画像診断システムの機能的構成を示す機能ブロック図である。
【図４】第１の実施形態に係る医用画像診断装置の構成の詳細を示す機能ブロック図である。
【図５】通信履歴保管部に保管されている画像情報の通信履歴の一例を示す表である。
【図６】送信条件保管部に保管されている医用画像の送信条件の一例を示す表である。
【図７】第１の実施形態に係る医用画像診断システムの使用形態の一例を表すフローチャートである。
【図８】第１の実施形態に係る医用画像診断システムの使用形態の他の一例を表すフローチャートである。
【図９】第２の実施形態に係る医用画像診断装置の構成の詳細を示す機能ブロック図である。
【図１０】４Ｄデータから、所望のマルチ画像を取得する場合の構成条件の一例を示す表である。
【図１１】第２の実施形態に係る医用画像診断システムの使用形態の一例を表すフローチャートである。
【発明を実施するための形態】
【００２２】
＜第１の実施の形態＞
［医用画像診断システム］
〔医用画像診断システムの装置構成〕
まず、図１〜図３を参照して、この実施形態に係る医用画像診断システム１の構成を説明する。図１は、この実施形態に係る医用画像診断システム１の全体構成を示すブロック図である。図２は、この医用画像診断システム１のハードウェア構成を示すブロック図である。図３は、この医用画像診断システム１の機能的構成を示す機能ブロック図である。なお、図１、図２に示す構成は、図３に示す機能的構成を実現するためのハードウェア構成の一例を表すものである。
【００２３】
［全体構成］
図１に示すように、医用画像診断システム１は、画像保管装置２と、レポート作成支援装置３と、画像観察装置４と、画像処理装置５と、操作端末６と、医用画像診断装置１０とを備える。これらの機器は、接続線を介して病院内のネットワークＮに接続されることで送受信が可能となっている。画像保管装置２は、医用画像を含む画像情報が保管されている保管部である。医用画像診断装置１０には、例えば、専用線を介して操作端末６が接続されていてもよい。また、操作端末６は、例えば、複数接続されていてもよい。また、医用画像診断システム１における通信を、無線通信とすることで前記に挙げた接続線を省略することもできる。
【００２４】
〔医用画像診断装置〕
医用画像診断装置１０は、例えば、被検体の各部位の画像を撮影することで医用画像を生成する。このとき、医用画像診断装置１０は、この医用画像の生成と同時に、付帯情報、ＵＩＤ等も生成し、医用画像と付帯情報とを合成する。これにより、画像情報が生成され、この画像情報に生成したＵＩＤが付与される。
【００２５】
医用画像診断装置１０が、例えば、画像処理が可能なように構成されている場合には、必要に応じて撮影画像の処理を行なう。この処理によって医用画像が生成され、前記と同様にして画像情報に生成される。付帯情報は、例えば、カルテ番号、患者情報（患者の向き、患者名、生年月日、性別、年齢、患者ＩＤ、患者ＵＩＤ等）、検査情報（検査種別、検査日時、検査時刻、検査番号、検査ＩＤ、検査ＵＩＤ等）、撮影情報（撮影種別、焦点距離、絞り、画角、感度、スライス位置、スライス方向、スライス厚等）等が挙げられる。
【００２６】
医用画像は１又は複数の画像から構成されている。医用画像診断装置１０は、被検体の断面画像を１枚取得して医用画像とすることによって１枚の画像から構成されているシングル画像を生成する。また、医用画像診断装置１０は、被検体内を連続的に撮影し、被験体内を示す複数の画像を一纏めにして医用画像とすることによって複数の画像から構成されているマルチ画像を生成する。被検体内を示す画像は、例えば、被験体の断面を撮影することによって取得されたスライス画像（断面画像）である。医用画像診断装置１０は、内部に医用画像を保管することが可能なように構成されており、医用画像は必要に応じて画像保管装置２に送信される。
【００２７】
マルチ画像の例を挙げると、医用画像を位置的に取得する場合においては、被験体のスライス画像（例えば、ＭＰＲ画像）を複数含むボリュームデータが挙げられる。この場合、対応するシングル画像は、１スライスのデータであるスライス画像データと呼ばれる。また、医用画像を時系列で取得する場合においては、前述したように、マルチフレーム画像データ（エンハンストデータ）が挙げられる。医用画像診断装置１０の具体例としては、Ｘ線ＣＴ装置、ＭＲＩ、ＰＥＴ等が挙げられる。
【００２８】
〔画像保管装置〕
画像保管装置２は、医用画像を含む画像情報（以下、単に画像情報という）を保管する機器である。画像保管装置２は、ネットワークＮを介して接続された他の機器と送受信可能に接続される。これにより、他の機器から送信された画像情報を受信して保管し、他の機器の要求に対応して保管された画像情報を指定された機器に送信する。
【００２９】
〔レポート作成支援装置〕
レポート作成支援装置３は、画像保管装置２等から送信された画像情報を受信し、レポートの作成の際に、レポート作成支援装置３に接続された表示部（図示せず）に表示する。医用画像の読影は、画像観察装置４に接続された表示部（図示せず）においても可能である。このため、レポート作成支援装置３は、接続された表示部でレポート作成が可能に構成されていればよい。作成された読影レポート等は、レポート作成支援装置３に備えられた保管部（図示せず）に保管され、必要に応じて、ネットワークＮを介して画像保管装置２に送信され保管される。
【００３０】
〔画像観察装置〕
画像観察装置４は、例えば、医用画像診断装置１０、画像保管装置２等から送信された画像データを受信し画像観察装置４に接続された表示部に表示する。画像観察装置４は使用する端末、または端末に備えられたモード等に応じて、表示部に表示される画像の表示形態を切り替えることができる。表示形態は、例えば、３Ｄビューア、２Ｄビューア、フュージョンビューア、ＭＲビューア、マルチフレーム画像データ対応ビューア等が挙げられる。この表示形態は、例えば、画像観察装置４に搭載されるアプリケーションソフトウェア（以下、アプリケーションという）によって、適宜切り替えて使用される。
【００３１】
〔画像処理装置〕
画像処理装置５は、例えば、医用画像診断装置１０、画像保管装置２等から送信された画像データを受信し、受信した画像データに所望の画像処理を施す。この画像処理としては、例えば、ＭＰＲ処理、ボリュームレンダリング処理、４Ｄ処理等が挙げられる。これらの画像処理は、例えば、画像処理装置５に搭載されるアプリケーションによって実現される。
【００３２】
〔操作端末〕
操作端末６は、医用画像診断装置１０に指示入力するための端末である。この指示入力は、例えば、医用画像、マルチ画像等の画像情報の検索が挙げられる。操作端末６は、操作入力することで医用画像診断装置１０を制御可能なものであればよく、例えば、ワークステーション、パーソナルコンピュータ等の各種端末機器が挙げられる。
【００３３】
［医用画像診断システムのハードウェア構成］
次に、後述する機能を実現するための、医用画像診断システム１（主として、医用画像診断装置１０に含まれるコンピュータ１００）のハードウェア構成について図２を参照しつつ説明する。
【００３４】
コンピュータ１００は、医用画像診断装置１０に含まれるものであって、医用画像撮影装置１２０で撮影された画像を受信して、例えば、処理、解析、送信等するものである。
【００３５】
コンピュータ１００は、一般的なコンピュータと同様に、マイクロプロセッサ１０１、主記憶装置１０２、外部記憶装置１０３、通信インターフェイス１０８、撮影機器インターフェイス１１１を含んで構成されている。なお、符号１０９は、これら各部を接続するバスを示している。以下、コンピュータ１００のこれらの構成部分についてそれぞれ説明する。
【００３６】
マイクロプロセッサ１０１は、ＣＰＵやＭＰＵ等の演算制御装置を含んで構成される。後述する処理部等の動作は、例えば、マイクロプロセッサ１０１によって実現される。主記憶装置１０２は、ＲＡＭ等のメモリ装置を含んで構成される。外部記憶装置１０３は、ＲＯＭやハードディスクドライブ等の記憶装置を含んで構成される。コンピュータ１００において取得収集された情報は、例えば、主記憶装置１０２、外部記憶装置１０３に一時的に保管される。
【００３７】
外部記憶装置１０３には、例えば、コンピュータプログラム１０３ａがあらかじめ格納されている。また、外部記憶装置１０３には、例えば、データベースがあらかじめ格納されている。後述する、保管部、通信履歴保管部、送信条件保管部等は、例えば、外部記憶装置１０３によって実現される。マイクロプロセッサ１０１は、コンピュータプログラム１０３ａを主記憶装置１０２上に展開して、この実施形態に特徴的な後述の処理を医用画像診断システム１に実施させる。
【００３８】
また、コンピュータ１００は必要に応じてコンソール１０４を有する、このコンソール１０４は、表示部１０５と操作部１０６を含んで構成される。表示部は、液晶（ＬＣＤ）ディスプレイ、有機ＥＬ（ＯＬＥＤ）ディスプレイ、電子ペーパー、ＣＲＴディスプレイなどの任意の表示装置を含んで構成される。また、操作部１０６は、キーボード、マウス、トラックボール、ジョイスティック、操作卓などの任意の操作装置や入力装置を含んで構成される。また、表示部１０５は、操作部１０６を含んだものであってもよく、これは、例えば、タッチパネルディスプレイが挙げられる。
【００３９】
通信インターフェイス（Ｉ／Ｆ）１０８は、ＬＡＮカード等のネットワークアダプタ（ＮＩＣ）や、インターネットに接続するためのモデムなどの任意の通信装置を含んで構成される。コンピュータ１００は、通信インターフェイス１０８によってネットワークＮに接続され、操作端末６等の外部端末と送受信が可能となる。また、通信インターフェース（Ｉ／Ｆ）は、無線通信インターフェイス（Ｉ／Ｆ）も含み、無線通信インターフェイス（Ｉ／Ｆ）による通信形態は、例えば、端末、機器が並列に通信するアドホックモードであってもよいし、また、例えば、ある機器を親機として、その他の機器、端末等を子機としたインフラストラクチャモードであってもよい。この無線通信インターフェイス（Ｉ／Ｆ）としては、ＩＥＥＥ  ８０２．１１シリーズ、ＩＥＥＥ  ８０２．１５シリーズ等に準拠した無線ＬＡＮ等が挙げられる。
【００４０】
撮影機器インターフェイス（Ｉ／Ｆ）１１１は、医用画像撮影装置１２０を接続するためのインタ−フェイスである。このインターフェイスは、医用画像撮影装置１２０で撮影された画像を送受信可能に構成されるものであればよく、例えば、高速、広帯域に送受信可能に構成される。また、例えば、医用画像撮影装置１２０は、コンピュータ１００と一体に形成されてもよい。
【００４１】
［医用画像診断システムの機能的構成］
次に、この医用画像診断システム１の機能的構成の一例について図３及び図４を参照しつつ説明する。
【００４２】
図３に示すように、医用画像診断システム１は、医用画像診断装置１０と、操作端末６と、画像保管装置２とを備える。医用画像診断装置１０には、操作端末６と、画像保管装置２とが、ネットワークＮ等を介して接続され、これらの間で画像情報のやり取りを行う。また、医用画像診断装置１０には、必要に応じて、前述したレポート作成支援装置３、画像観察装置４、画像処理装置５等がネットワークＮ等を介して接続されている。
【００４３】
〔操作端末〕
操作端末６が、医用画像診断装置１０に指示入力することによって、医用画像診断装置１０が所望の処理を行う。操作端末６は、例えば、「医用画像診断装置１０に保管されている画像情報を取得する」という指示入力を医用画像診断装置１０に対して行うと、医用画像診断装置１０は、後述する処理を行なって該当する画像情報を操作端末６に送信する。
【００４４】
操作端末６は、例えば、操作部６Ａと送受信部６Ｂとを含んで構成される。操作部６Ａは、操作入力することによって医用画像診断装置１０に指示入力をするものである。送受信部６Ｂは、医用画像診断装置１０の送受信部１５と、例えば、画像情報の通信を行うものである。医用画像診断装置１０に指示入力する場合には、例えば、操作部６Ａにおいて、指示入力に対応する操作入力を行い、この指示入力を送受信部６Ｂから医用画像診断装置１０に向けて送信する。
【００４５】
操作端末６による、医用画像診断装置１０への指示入力は、例えば、直接指示入力するものであってもよいし、機器に対する指示入力に連動して、医用画像診断装置１０に指示入力を与えるものであってもよい。前者の場合には、例えば、所望の画像情報において、画像保管装置２に未送信の画像情報を取得するという指示入力を医用画像診断装置１０に送信することが挙げられる。後者の場合には、例えば、画像保管装置２から所望の画像情報を取得する場合に、画像保管装置２への問合せをすると同時に、医用画像診断装置１０から画像保管装置２への送信漏れが生じていないか、医用画像診断装置１０に指示入力をするものが挙げられる。後者における具体的な一例としては、操作端末６から、画像保管装置２に保管された胸部スライス画像のボリュームデータを取得するという指示入力があると、操作端末６は、この指示入力に連動して、医用画像診断装置１０に、医用画像診断装置１０から画像保管装置２への胸部スライス画像のボリュームデータの更新漏れをチェックする指示を送信する。
【００４６】
〔画像保管装置〕
画像保管装置２は、例えば、医用画像診断装置１０から送信された画像情報を受信し保管する。また、画像保管装置２は、レポート作成支援装置３、画像観察装置４、画像処理装置５等の機器からの要求に応じて、保管されている画像情報を、要求先の機器に送信する。
【００４７】
画像情報は、例えば、付帯情報を含む。画像保管装置２は、画像保管部２Ａと送受信部２Ｂとを含んで構成されており、送受信部２Ｂは医用画像診断装置１０から送信された画像情報を受信し画像保管部２Ａに送信する。画像保管部２Ａは送信された画像情報を保管する。また、送受信部２Ｂは、外部機器からの指示入力を受信し、所定の処理を経て画像保管部２Ａから取得された画像情報を、指示入力受けた外部機器に対して出力する。
【００４８】
〔医用画像診断装置〕
図４は、医用画像診断装置１０の構成の詳細を示す機能ブロック図である。図４に示すように、医用画像診断装置１０は、撮影部１１と、処理部１２と、画像情報構成部１３と、保管部１４と、送受信部１５と、送信条件保管部１６と、通信履歴保管部１７とを含んで構成され、医用画像診断装置１０と画像保管装置２および操作端末６とがそれぞれに備えられた送受信部を介して通信可能に接続されている。
【００４９】
（撮影部）
撮影部１１は、被検体の各部位の医用画像を撮影可能である機能を有していればよく、例としては、Ｘ線撮影装置、Ｘ線ＣＴ装置、ＭＲＩ等の各種モダリティにおける撮影機器が挙げられる。前述したように、撮影部１１で撮影された医用画像は、付帯情報と合成されることで画像情報を構成する。
【００５０】
（保管部）
保管部１４は、医用画像診断装置１０において生成し送信された画像情報を受信し記憶する。保管部１４には、画像情報の保管に加えて、保管部１４における画像情報の保管情報も保管される。画像情報の保管情報は、例えば、保管されている画像情報に含まれる医用画像の、識別情報、インデックス情報等の固有情報によって構成されているものが挙げられる。画像情報の保管情報は、例えば、この固有情報を一纏めにしたものが挙げられる。画像情報の保管情報は、例えば、保管部１４に保管された画像情報とこの画像情報の固有情報とを対応付けてデータベース化することによって保管情報が生成する。画像情報の保管情報は、画像情報が保管部１４に追加される場合には、その画像情報とその固有情報との対応情報が保管情報に追加される。また、画像情報の保管情報は、画像情報が保管部１４から削除または移動される場合には、その画像情報とその固有情報との対応情報が保管情報から削除される。ここで識別情報としては、例えば、画像情報のＵＩＤ、インデックス情報としては、例えば、付帯情報として前記に挙げたものから、１又は複数のものを適宜選択することができる。
【００５１】
（送受信部）
送受信部１５は、医用画像診断装置１０と、操作端末６、画像保管装置２等の外部機器との間でそれぞれ、画像データを含む情報のやり取りを行う機能を有する。操作端末６は、例えば、医用画像診断装置１０に対して指示入力を行うと、医用画像診断装置１０は、送受信部１５を介して、処理部１２にこの指示入力を送る。画像保管装置２は、医用画像診断装置１０に備えられた送受信部１５を介して送信された画像情報を受信し保管する。また、送受信部１５は、例えば、保管部１４に保管された画像情報から、特定の画像情報を検索する機能を有していてもよい。
【００５２】
（通信履歴保管部）
通信履歴保管部１７は、医用画像診断装置１０内外における通信履歴が保管されている。通信履歴としては、例えば、処理部１２を介して保管部１４と送受信部１５との間において送受信された画像情報の履歴、送受信部１５と操作端末６等の外部機器との間において送受信された画像情報の履歴等が挙げられる。また、通信履歴保管部１７は、処理部１２に備えられた解析部１２ａにおいて、操作端末６によって送信が要求された機器への未送信画像情報を解析する際に、保管された通信履歴を処理部１２に送る。
【００５３】
図５は、通信履歴保管部１７に保管されている画像情報の通信履歴の一例を示す表である。この通信履歴の一例は、送受信部１５と操作端末６等の外部機器との間において送受信された画像情報の履歴である。
【００５４】
図５に示すように、この通信履歴は、送信先の機器（サーバ）と、送信要求元の機器と、送信した画像情報と、送信枚数と、送信形態と、ＵＩＤとを含んで構成されている。また、送受信部１５が、例えば、送受信の機能に限定して構成される場合には、処理部１２を介して保管部１４と送受信部１５との間において送受信された画像情報の履歴と、送受信部１５と操作端末６等の外部機器との間において送受信された画像情報の履歴とが同一となる。そのため、この場合、いずれか一方の送受信履歴が保管される。
【００５５】
（送信条件保管部）
送信条件保管部１６には、画像情報を送信する送信先の外部機器及び医用画像の種別に応じた送信条件が予め記憶されている。この送信条件は、例えば、操作端末６の要求によって指定された外部機器に対して特定の画像情報を送信する場合において適用される。送信条件は、例えば、送信先の外部機器の種別に対して画像情報が送信可能か否かを特定する送信可否情報と送信先の外部機器の種別に対して画像情報が送信される場合の画像情報の送信単位を特定する送信単位情報とを含んで構成される。ここで、外部機器の種別は、例えば、特定用途（部位別（腹部、胸部等）、目的別（読影用、カルテ作成用）等）のワークステーション、特定用途（部位別、目的別、データ管理（モダリティ別の画像管理、中央管理）等）のサーバ等が挙げられる。
【００５６】
送信可否情報は、外部機器の種別に対して、送信が可能又は不可能な画像の種別が設定される。画像の種別とは、例えば、スライス画像、中間画像、透視用のミニ画像、スキャノ画像等が挙げられる。また、画像の種別は、例えば、各種撮影条件、撮影種別（ＣＴ、ＭＲＩ、超音波等のモダリティ）、スライスの種別（スライスの厚さ（薄い、厚い等）、スライス方向等）等を含んでいてもよい。
【００５７】
送信単位情報には、外部機器へ医用画像を送信する際に、当該外部機器の種別に対して送信される当該医用画像の送信単位が設定される。医用画像の送信単位は、送信される画像の形態であって、例えば、シングル画像の形態（つまり１枚の画像からなる形態）、マルチ画像の形態（つまり複数枚の画像からなる形態）が挙げられる。
【００５８】
図６は送信条件の一例を示す表である。この表には、外部機器に特定の医用画像を送信する際の送信条件が設定されている。この表に示す外部機器は、特定の処理を行う事が可能な機器であって、この外部機器における処理に応じて、送信条件が設定されている。この外部機器は、当該処理を専門的に行う専用機器であってもよい。
【００５９】
図６に示すように、外部機器の種別が循環器用ワークステーションであるときの送信条件は、医用画像がマルチ画像である場合の送信単位を１枚の画像からなる医用画像とし、薄いスライス画像の送信可否を、送信否とする。また、専用機器が、腹部用ワークステーション及びＣＴ用サーバであるときの送信条件は、医用画像がマルチ画像である場合の送信単位を１枚の画像からなる医用画像とし、薄いスライス画像の送信可否を、送信可とする。また、専用サーバがＰＡＣＳなどの中央サーバであるときの送信条件は、医用画像がマルチ画像である場合の送信単位を複数の画像からなる医用画像とし、医用画像をマルチ画像のまま転送し、さらに、薄いスライス画像の送信可否を、送信否とする。
【００６０】
（処理部）
処理部１２は、解析部１２ａと画像送信部１２ｂと送信条件適用部１２ｃとを含んで構成される。処理部１２は、まず、送受信部１５を介して受信した操作端末６からの指示入力に基づいて、解析部１２ａにおいて、保管部１４に保管された画像情報の保管情報を解析する。次に、この解析結果から、送信が要求された外部機器に送信がされていない画像情報である未送信画像情報を特定する。次に、特定された未送信画像情報を、画像送信部１２ｂが送信条件適用部１２ｃから受けた送信条件に基づいて要求された機器に送信する。
【００６１】
（解析部）
解析部１２ａには、画像送信部１２ｂと、保管部１４と、送受信部１５と、通信履歴保管部１７とが接続されている。解析部１２ａは、送受信部１５において受信した操作端末６からの指示入力と、通信履歴保管部１７から取得した指示入力に対応する画像情報の送信の履歴とに基づいて、保管部１４に保管された画像情報の保管情報を解析する。解析部１２ａは、この解析結果から、送信が要求された外部機器に送信がされていない画像情報である未送信画像情報を特定し、未送信画像情報の特定情報を送信条件適用部１２ｃに送る。送信条件適用部１２ｃは、この未送信画像情報の特定情報を受けて、この特定情報を画像送信部１２ｂに送る。
【００６２】
解析部１２ａにおける処理の具体的な一例を挙げる。この例においては、操作端末６から、送受信部１５に対して、画像保管装置２に保管されている画像のうち、所定の検査において生成した画像情報を更新するという指示入力が送信された場合を考える。まず、解析部１２ａは、送受信部１５から送信された指示入力を受け取り、保管部１４に保管されている保管情報からインデックス情報として検査情報を参照する。このインデックス情報は、例えば、要送信画像のインデックス情報であって、該当する検査の検査ＩＤを有するインデックス情報を逐次抽出することで取得する。次に、解析部１２ａは通信履歴保管部１７から、保管部１４から画像保管装置２に送信がされた画像情報のインデックス情報を抽出し送信済画像のインデックス情報として取得する。次に、要送信画像のインデックス情報と送信済画像のインデックス情報との差分をとると、この差分によって残ったインデックス情報が未送信画像のインデックス情報となる。解析部１２ａは、特定された未送信画像のインデックス情報を送信条件適用部１２ｃに送る。
【００６３】
差分により特定される未送信の医用画像としては、例えば、画像保管装置２への送信後に、新たに撮影部１１において撮影されたスライス画像を画像情報構成部１３によってボリュームデータとしたものや、画像保管装置２に送信がされた医用画像を加工したものが挙げられる。
（送信条件適用部）
【００６４】
送信条件適用部１２ｃは、解析部１２ａから受けた未送信画像のインデックス情報と、送信条件保管部１６に保管された送信条件とを照合して、未送信の医用画像の送受信部１５への送信の可否及び、送信単位を判定する。
【００６５】
送信条件適用部１２ｃによる前記判定によって、未送信の医用画像の送受信部１５への送信が可となる場合には、送信条件適用部１２ｃは、未送信画像のインデックス情報に基づいて保管部１４から対応する医用画像、又は該医用画像を含む画像情報を少なくとも１つ取得する。このとき、取得した医用画像の形態が、対応する送信単位と一致する場合には、取得した医用画像を、画像送信部１２ｂ等を介して送信先の外部機器に送信する。一方、取得した医用画像の形態が、対応する送信単位と一致しない場合には、取得した医用画像を画像情報構成部１３に送信する。ここで、医用画像の形態とは、医用画像が１枚の画像からなる形態と、医用画像が複数枚の画像からなる形態とが挙げられる。例えば、取得した医用画像が複数枚のフレーム画像からなるマルチフレーム画像データであって、これに対応する送信単位が１枚からなる医用画像である場合には、送信条件適用部１２ｃは、このマルチフレーム画像データを画像送信部１２ｂを介して画像情報構成部１３に送信し、送信単位を変更する。
【００６６】
送信の可否の判定とは、送信条件に含まれる送信可否情報に基づいて、取得した画像情報の種別が送信先の外部機器に送信可能か否かを判定することである。
【００６７】
送信単位の判定とは、送信の可否の特定と同様に、前述した送信条件に含まれる送信単位の情報に基づいて、医用画像を指定された専用機器に送信する場合の送信単位を判定することである。この場合の医用画像は、例えば、送信可否によって送信可とされた医用画像である。
【００６８】
送信の可否の判定の一例として、解析部１２ａから渡されたインデックス情報が薄いスライスで構成されたボリュームデータで、図６に示した送信条件によって専用機器に送信がされる場合を考える。送信先の専用機器が、例えば、循環器用ワークステーション及び中央サーバであるときは、送信可否情報における送信否に基づいて、送信条件適用部１２ｃは、「薄いスライスで構成されたボリュームデータを対応する専用機器（循環器用ワークステーション又は中央サーバ）に送信しない」という判定をし、このインデックス情報を、例えば、破棄する。一方、送信先の専用機器が、腹部用ワークステーション及びＣＴ用サーバであるときは、送信可否情報における送信可に基づいて、送信条件適用部１２ｃは、「薄いスライスで構成されたボリュームデータを対応する専用機器（腹部用ワークステーション又はＣＴ用サーバ）に送信する」という判定をし、例えば、送信単位の判定に進む。
【００６９】
送信単位の判定は、同様に図６に示した送信条件に含まれる送信単位情報に基づいて行われる。具体的には、薄いスライスで構成されたボリュームデータを専用機器に送信する。このとき、送信先が、例えば、循環器用ワークステーション、腹部用ワークステーション及びＣＴ用サーバであるときは、送信単位情報が「１枚からなる医用画像」となっている。そのため、送信条件適用部１２ｃは「ボリュームデータを１枚からなる医用画像に分割して、対応する専用機器（循環器用ワークステーション、腹部用ワークステーション及びＣＴ用サーバのうちのいずれか）に送信する」と判定する。送信条件適用部１２ｃは、インデックス情報に基づいて保管部１４から薄いスライスで構成されたボリュームデータを取得し、このボリュームデータを判定結果とともに画像送信部１２ｂに送る。一方で、送信先が、例えば、中央サーバであるときは、送信単位情報が「複数枚からなる医用画像」となっているので、送信条件適用部１２ｃは、「ボリュームデータをそのまま対応する中央サーバに送信する」と判定する。送信条件適用部１２ｃは、インデックス情報に基づいて保管部１４から薄いスライスで構成されたボリュームデータを取得し、このボリュームデータを判定結果とともに画像送信部１２ｂに送る。
【００７０】
（画像送信部）
画像送信部１２ｂは、送信条件適用部１２ｃから受けた送信単位の判定結果に応じて、送信単位の判定結果と併せて受けた医用画像を、送受信部１５又は画像情報構成部１３に送信する。例えば、送信単位の判定結果が、送信単位の変更をするものである場合には、対応する医用画像は画像情報構成部１３に送信される。一方、送信単位の判定結果が、送信単位の変更をしないものである場合には、対応する医用画像は送受信部１５に送信される。
【００７１】
画像送信部１２ｂによる医用画像の送信の一例として、図６に示した送信条件に基づいて薄いスライスで構成されたボリュームデータを専用機器に送信する場合を考える。送信条件適用部１２ｃにおける判定結果が、例えば、「ボリュームデータを１枚からなる医用画像に分割して、対応する専用機器に送信する」である場合には、画像送信部１２ｂは、薄いスライスで構成されたボリュームデータを画像情報構成部に送信する。一方、送信条件適用部１２ｃにおける判定結果が、例えば、「ボリュームデータをそのまま対応する中央サーバに送信する」である場合には、画像送信部１２ｂは、薄いスライスで構成されたボリュームデータを送受信部１５に送信し、送受信部１５から中央サーバに送信する。
【００７２】
（画像情報構成部）
画像情報構成部１３は、医用画像の再構成処理をすることで、構成の変更を行う機能を有する。この再構成処理は、例えば、複数の画像から構成される医用画像を分割して、１枚の画像から構成される医用画像にする処理と、複数の医用画像を一纏めにして、複数の画像から構成される医用画像にする処理とを有する。これらの処理は相互に行うことができる。この一例としては、複数のスライス画像で構成されたボリュームデータを所定条件で分割してばらばらにする処理と、撮影部１１で撮影された複数のスライス画像を所定条件で統合することによってボリュームデータを生成する処理とを相互に行うことが挙げられる。
【００７３】
画像情報構成部１３は、処理部１２から受けた医用画像と送信単位の判定結果とを受けて、この判定結果に基づいて医用画像を分割又は統合する。
【００７４】
画像情報構成部１３による医用画像を分割又は統合する一例として、図６に示した送信条件に基づいて薄いスライスで構成されたボリュームデータを専用機器に送信する場合を考える。処理部１２から受けた判定結果が、「ボリュームデータを１枚からなる医用画像に分割して、対応する専用機器（循環器用ワークステーション、腹部用ワークステーション及びＣＴ用サーバのうちのいずれか）に送信する」である場合、画像情報構成部１３は、薄いスライスで構成されたボリュームデータを、薄いスライス画像にそれぞれ分割する。この分割によって生成した複数の薄いスライス画像を処理部１２に順次送信する。処理部１２は、受信した複数の薄いスライス画像を画像送信部１２ｂに順次送信する。薄いスライスで構成されたボリュームデータを分解して得られた複数の薄いスライス画像は送受信部１５に送信される。送受信部１５は、受信した複数の薄いスライス画像を循環器用ワークステーション、腹部用ワークステーション及び／又はＣＴ用サーバに順次送信する。
【００７５】
この医用画像の構成の変更における、医用画像の分割、統合等の履歴は、例えば、構成変更履歴情報として画像情報構成部１３内に保管される。この構成変更履歴情報は、複数のシングル画像から１つのマルチ画像を生成する際に、例えば、統合先のマルチ画像のインデックス情報と、統合元の複数のシングル画像のそれぞれのインデックス情報とが対応付けられて保管されている。つまり、マルチ画像に付与されたインデックス情報と、これに含まれるシングル画像に元々付与されていたインデックス情報とが対応付けられている。
【００７６】
解析部１２ａは、例えば、保管部１４に保管されたマルチ画像に新規な画像が追加されて更新がされている場合に、構成変更履歴情報を参照することで当該ボリュームデータの更新を認識する。解析部１２ａは、この更新を認識すると通信履歴保管部１７に保管された通信履歴から、所望の機器に送信された時点でのボリュームデータを構成する画像のＵＩＤと、現在のボリュームデータを構成する画像のＵＩＤとの差分をとる。これにより、当該ボリュームデータに新規に追加された画像のＵＩＤを知ることができる。また、画像情報構成部１３には構成変更履歴情報として、例えば、ボリュームデータへの画像の追加情報が記憶されていてもよい。これは、例えば、解析部１２ａが、通信履歴に含まれる所定のボリュームデータが所定の機器に送信がされた通信日時情報と、構成変更履歴情報に含まれる該ボリュームデータに画像が追加された日時情報とを比較することで、所定の機器への送信後に該ボリュームデータに追加された画像を把握することができる。
【００７７】
［医用画像診断システムの使用形態］
以上のような構成を有する医用画像診断システム１の使用形態について説明する。
【００７８】
図７は、この実施形態における医用画像診断システム１の使用形態の一例を表すフローチャートである。このフローチャートは、例えば、「送信を指定した外部機器に対して、医用画像診断装置１０から未送信の医用画像がある」と操作端末６を操作する操作者が認識している場合に、保管部１４に保管された医用画像から未送信の医用画像を選択的に取得して、取得した医用画像を指定した機器に送信する流れを示したものである。
【００７９】
図７に示すように、まず、医用画像診断システム１を起動し、操作端末６、医用画像診断装置１０との間の通信を開始する。（ステップＳ００１）。
【００８０】
操作端末６は、医用画像診断装置１０に対して、メタ情報（検索条件）として“Remaining volume”を指定して検索・送信要求をする（ステップＳ００２）。“Remaining volume”とは、例えば、医用画像診断装置１０に保管されているボリュームデータのうち操作端末６に送信がされていない「未送信ボリュームデータ」を意味する。そうすると、この検索・送信要求は、医用画像診断装置１０内に保管されたボリュームデータのうち「未送信ボリュームデータ」の検索をして、送受信条件から「送信可能ボリュームデータ」を絞込み、それを所定の外部機器に送信することを要求することを意味する。また、“Remaining volume”を、“Remaining image”とし、医用画像のうち、操作端末６に送信がされていない「未送信医用画像」として検索・送信要求をすることもできる。以下においては、検索・送信要求を“Remaining volume”として説明する。
【００８１】
次に、医用画像診断装置１０の送受信部１５が、操作端末６からの検索・送信要求を受信する（ステップＳ００３）。送受信部１５は、受信した検索・送信要求を処理部１２に送る。
【００８２】
解析部１２ａは、受信した検索・送信要求のうち検索要求を解析してメタ情報“Remaining volume”を取得する（ステップＳ００４）。
【００８３】
解析部１２ａは、メタ情報のうち送信要求をさらに解析して、この送信要求に、「送信可能ボリュームデータ」の送信先が指定されているかを判別する。このとき、例えば、送信先が画像保管装置２に指定されていれば「送信可能ボリュームデータ」を画像保管装置２に送信し、宛先が指定されていなければ「送信可能ボリュームデータ」を操作端末６に送信するように送受信部１５の動作を設定する（ステップＳ００５）。
【００８４】
次に、解析部１２ａは、保管部１４に保管されているボリュームデータの管理情報を取得する。ここで、ボリュームデータの管理情報とは、例えば、ボリュームデータに付与された識別情報であるＵＩＤ、インデックス情報等である（ステップＳ００６）。
【００８５】
次に、解析部１２ａは、送受信部１５及び／又は画像送信部１２ｂによる、当該機器へのボリュームデータの送信の履歴を通信履歴保管部１７から取得し、この送信の履歴から、当該機器に送信がされたボリュームデータの識別情報と、ステップＳ００６で取得した保管部１４に保管されているボリュームデータの識別情報とを照合して、その差分をとる。このときの差分として取得された識別情報が「未送信ボリュームデータ」の識別情報となる（ステップＳ００７）。解析部１２ａは、「未送信ボリュームデータ」の識別情報を送信条件適用部１２ｃに送信する。識別情報としては、例えば、ＵＩＤ等が挙げられる。
【００８６】
取得した「未送信ボリュームデータ」の識別情報が複数ある場合には、例えば、識別情報と送信先とを対応付けた未送信ボリュームデータリストとして一元的に取得される。未送信ボリュームデータリストは、例えば、未送信ボリュームデータのＵＩＤ、送信先の外部機器等が対応付けられて記載されたテキストデータである。
【００８７】
送信条件適用部１２ｃは解析部１２ａから受けた、「未送信ボリュームデータ」の識別情報を受けて、この識別情報に対応する「未送信ボリュームデータ」に含まれる画像の種別を、例えばインデックス情報等から取得する。この種別の画像が指定された外部機器に送信可能か否かを、送信条件保管部１６から取得した送信条件に含まれる送信可否情報に基づいて判定する（ステップＳ００８）。この判定は、例えば、図６に示す送信条件を用いて送信条件適用部１２ｃで画像の送信可否を判断するのに前述したことを適宜用いて行われることで「送信可能ボリュームデータ」を特定する。
【００８８】
送信条件適用部１２ｃによる、「未送信ボリュームデータ」の識別情報に対する送信可否の判定が送信可である場合には、送信可の判定を受けた「未送信ボリュームデータ」の識別情報を「送信可能ボリュームデータ」の識別情報とする（ステップＳ００９）。
【００８９】
送信条件適用部１２ｃは、画像送信部１２ｂに、識別情報に基づいて保管部１４から「送信可能ボリュームデータ」を取得させ（ステップＳ０１０）、「送信可能ボリュームデータ」の識別情報に対して、さらに送信単位の判定を行う（ステップＳ０１１）。
【００９０】
送信単位の判定は、送信単位情報における、外部機器の種別に対応する送信単位の画像の形態に基づいて行われる。このとき、外部機器の種別に対応する送信単位の画像の形態が「ボリュームデータ」である場合には、送信する医用画像の形態と送信単位とする画像の形態とが一致する（ステップＳ０１２：ＮＯ）。このため、画像送信部１２ｂに、ステップＳ０１０で取得した「送信可能ボリュームデータ」を、送受信部１５を介して、指定された外部端末に送信させる（ステップＳ０１４）。
【００９１】
一方で、外部機器の種別に対応する送信単位の画像の形態が「１枚の画像」と判定された場合には、送信する医用画像の形態と送信単位とする画像の形態とが異なる（ステップＳ０１２：ＹＥＳ）。このため、送信条件適用部１２ｃは、送信単位の判定結果「１枚の画像」を画像情報構成部１３に送信するとともに、画像送信部１２ｂに、ステップＳ０１０で取得した「送信可能ボリュームデータ」を画像情報構成部１３に送信させ、ボリュームデータを複数の医用画像にばらばらに分割した後に操作端末６で指定された外部機器に送信する（ステップＳ０１３）。
【００９２】
画像情報構成部１３は、医用画像である「送信可能ボリュームデータ」と送信単位である「１枚の画像」との入力を受けて、「送信可能ボリュームデータ」の形態を「１枚の画像」単位となるように変換する。この場合、ボリュームデータを複数の医用画像にばらばらに分割することで変換される。変換された医用画像は、処理部１２に送信され、処理部１２に備えられた画像送信部１２ｂは、処理部１２で受信した医用画像を、送受信部１５を経て、操作端末６で指定された外部機器に送信する。
【００９３】
＜実施例１＞
次に、この実施形態の医用情報処理システムを用いた実施例について説明する。この実施例は、医用画像診断装置１０をＸ線ＣＴ装置、操作端末６をワークステーションとして、図７において示したフローチャートに基づいて行うものとする。
【００９４】
まず、Ｘ線ＣＴ装置及びワークステーションを起動させて、両者の通信を開始する（ステップＳ００１に対応）。
【００９５】
次に、ワークステーションは、Ｘ線ＣＴ装置に対してメタ情報（検索条件）として“Remaining volume”を指定して検索・送信要求をする（ステップＳ００２に対応）。
【００９６】
次に、Ｘ線ＣＴ装置の通信インターフェイスが、ワークステーションからの検索・送信要求を受信する（ステップＳ００３に対応）。
【００９７】
通信インターフェイスは、受信した検索・送信要求を主記憶装置に送信して、この検索・送信要求をＣＰＵによって解析し、この解析によって、検索対象である“Remaining volume”を取得し、さらに、“Remaining volume”を解釈して、検索対象が「Ｘ線ＣＴ装置に保管されているボリュームデータのうちワークステーションに送信がされていない「残りのボリュームデータ」」であると認識する（ステップＳ００４に対応）。
【００９８】
Ｘ線ＣＴ装置のＣＰＵは、メタ情報をさらに解析し、上述した「残りのボリュームデータ」の送信の宛先が指定されているかを判別する。この場合においては、送信の宛先が指定されていないので「残りの画像」をワークステーションに送信するように通信インターフェイスの動作を設定する（ステップＳ００５に対応）。
【００９９】
次に、Ｘ線ＣＴ装置のＣＰＵは、Ｘ線ＣＴ装置の外部記憶装置に保管されているボリュームデータの管理情報を主記憶装置に送信することで取得する。このとき取得された管理情報には、「識別情報として「ＵＩＤ：１００（外部記憶装置に、１００枚の厚いスライス画像１ボリューム）」と、「ＵＩＤ：２００（２００枚の薄いスライス画像１ボリューム）」と、「ＵＩＤ：３００（５０枚の新規に作成されたＭＰＲ画像１ボリューム）」とが記憶されている」と登録されている。（ステップＳ００６に対応）。
【０１００】
ここで、Ｘ線ＣＴ装置の外部記憶装置に記憶された送信履歴には、ワークステーションに送信済みであるボリュームの「ＵＩＤ：１００」が記録されている。管理情報に登録されたＵＩＤと送信履歴に登録されたＵＩＤとの差分をとると、「ＵＩＤ：２００」と、「ＵＩＤ：３００」との合計２ボリュームとなり、これがワークステーションに送信がされていない「未送信ボリュームデータのＵＩＤ」となる（ステップＳ００７に対応）。
【０１０１】
Ｘ線ＣＴ装置のＣＰＵは、外部記憶装置に記憶された送信条件を主記憶装置に送信することで取得する。このとき、送信条件には、「ワークステーションに薄いスライス画像は送信しない」という送信可否情報が含まれていることから、Ｘ線ＣＴ装置のＣＰＵは、ＵＩＤ２００に対応する医用画像は送信しないと判断する（ステップＳ００８に対応）。この処理により、「送信可能ボリュームデータのＵＩＤ」として「ＵＩＤ：３００」に絞り込む（ステップＳ００９に対応）。この「ＵＩＤ：３００」は、「５０枚のＭＰＲ画像１ボリューム」に対応している。
【０１０２】
Ｘ線ＣＴ装置のＣＰＵは、外部記憶装置に記憶された医用画像から、「ＵＩＤ：３００」に対応する「５０枚のＭＰＲ画像１ボリューム」を取得し、例えば、主記憶装置に記憶させる（ステップＳ０１０に対応）。
【０１０３】
次に、Ｘ線ＣＴ装置のＣＰＵは、取得した送信条件に含まれる送信単位情報に基づいてワークステーションに「５０枚のＭＰＲ画像１ボリューム」を送信する場合の送信単位を判定する（ステップＳ０１１に対応）。
【０１０４】
送信条件には「ワークステーションには１枚の画像単位で送信する」という送信単位情報が含まれていることから（ステップＳ０１２：ＮＯに対応）、Ｘ線ＣＴ装置のＣＰＵは、主記憶装置から５０枚のＭＰＲ画像１ボリュームを取得し、これを５０枚のＭＰＲ画像に分割する。５０枚のＭＰＲ画像は、送受信インターフェイスを介してワークステーションに送信される（ステップＳ０１３に対応）。
【０１０５】
図８は、この実施形態における医用画像診断システム１の使用形態の別の一例を表すフローチャートである。この、フローチャートは、例えば、保管部１４に保管された医用画像うちの所望のものを、所望の外部機器に再送して更新をする場合に、所望の外部機器に未送信のボリュームデータを処理部１２が特定し、このボリュームデータを所望の機器に送信する流れを示したものである。尚、医用画像の送信先の設定は図６のステップＳ００３〜Ｓ００６と同様にして行うことができるので、このフローチャートでは省略する。
【０１０６】
まず、医用画像診断システム１を起動し、操作端末６、医用画像診断装置１０との間の通信を開始する。（ステップＳ０２０）。
【０１０７】
操作端末６は、医用画像診断装置１０に対して指示入力を行う。この指示入力は、所定の検査に関連する医用画像を取得し、指定した外部機器への送信を要求するものである（ステップＳ０２１）。
【０１０８】
医用画像診断装置１０の送受信部１５は、操作端末６からの検索・送信要求を受けて、保管部１４に記憶された保管情報から、指定した検査が含まれているインデックス情報を検索し、該当するインデックス情報を全て取得し、処理部１２に備えられた解析部１２ａに送る（ステップＳ０２２）。
【０１０９】
解析部１２ａは、送受信部１５から受けた、指定した検査が含まれているインデックス情報を受けて、このインデックス情報を通信履歴保管部１７に保管された通信履歴と照合する。そして、このインデックス情報に対応する医用画像のうち、過去に指定した外部機器への送信がされていない未送信医用画像のインデックス情報を抽出、取得して、このインデックス情報を送信条件適用部１２ｃに送る（ステップＳ０２３）。
【０１１０】
送信条件適用部１２ｃは、解析部１２ａから受けた未送信医用画像のインデックス情報に対応する医用画像の種別に基づいて、指定する外部機器への送信可否及び送信単位を判定する。まず、送信条件適用部１２ｃは、例えば、図６に示した送信条件に含まれる送信可否情報に基づいて、医用画像の撮影部位、撮影条件等に応じて指定する機器への送信可否を判定する（ステップＳ０２４）。医用画像は、シングル画像、マルチ画像を含むものであるが、以下のステップにおいては「医用画像」を「ボリュームデータ」として説明する。
【０１１１】
送信条件適用部１２ｃによる、「未送信ボリュームデータ」のインデックス情報に対する送信可否の判定が送信可である場合には、送信可の判定を受けた「未送信ボリュームデータ」のインデックス情報を「送信可能ボリュームデータ」のインデックス情報とする（ステップＳ０２５）。      
【０１１２】
送信条件適用部１２ｃは、画像送信部１２ｂに、インデックス情報に基づいて保管部１４から「送信可能ボリュームデータ」を取得させ（ステップＳ０２６）、「送信可能ボリュームデータ」のインデックス情報に対して、さらに送信単位の判定を行う（ステップＳ０２７）。
【０１１３】
以降の処理は図７に示すフローチャートのステップＳ０１２〜Ｓ０１４と同様にして行うことで、操作端末６で指定された外部機器に未送信の医用画像を選択的に、当該外部機器に送信する（ステップＳ０２８〜Ｓ０３０）。
【０１１４】
［医用画像診断システムの作用・効果］
次に、この実施形態の医用画像診断システム１の作用及び効果について説明する。
【０１１５】
この実施形態の医用画像診断システム１の医用画像診断装置１０は、保管部１４と、送受信部１５と、送信条件保管部１６と、送信条件適用部１２ｃと、通信履歴保管部１７と、処理部１２とを備えている。保管部１４は、医用画像を保管管理する。
送受信部１５は、操作端末６による指示入力において指定された機器との間で、ネットワーク等を介して医用画像を含む画像情報のやり取りを行う。送信条件保管部１６は、送信先の機器及び医用画像の種別に応じた画像情報の送信条件が予め記憶されている。
送信条件適用部１２ｃは、送信条件に基づいて、画像情報の送信可否と送信単位とを特定する。通信履歴保管部１７は、保管部１４と送受信部１５との間における画像情報の送信の履歴が少なくとも保管されている。処理部１２は、指定された医用画像のうち先に送信した医用画像についての再送信指示を受けた場合に、通信履歴保管部１７から取得した送信履歴と、保管部１４が保管する医用画像の管理情報とから未送信画像を特定する。処理部１２は、送信条件を参照することで他の機器及び未送信画像に対応した送信条件を特定し、送受信部１５に対して、送信条件に基づいて前記未送信画像を他の機器に送信させる。
【０１１６】
処理部１２は、具体的には、操作端末６から送受信部１５を介して受けた、指定された機器に未送信の画像情報の取得の指示入力に基づいて、通信履歴保管部１７からの送信の履歴に含まれる画像情報を特定する保管情報と、保管部１４に保管された画像情報を特定する履歴情報とを取得する。処理部１２は、さらに、保管情報と、履歴情報との差分をとることで操作端末６が指定する機器に未送信の画像情報を特定する。処理部１２は、未送信の画像情報を特定する情報を送信条件適用部１２ｃに送る。送信条件適用部１２ｃは、送信条件に基づいて未送信の画像情報を特定する情報から、機器に送信すべき画像情報を特定して画像情報を送受信部１５に送信する。送受信部１５は、受信した画像情報を操作端末６が指定した機器に送信する。
【０１１７】
このように、医用画像診断装置１０は、送受信部１５を介して操作端末６から受けた指示入力と、通信履歴保管部１７からの画像情報の送信の履歴と、送信条件保管部１６からの画像情報又は医用画像の送信条件とを用いて処理部１２において処理をする。この処理によって、保管部１４に保管された画像情報のうち所望の機器に未送信であった画像情報を操作端末６からの指示入力によって特定することが可能となる。これにより、医用画像診断装置１０からの送信情報の送信がなければ、操作端末６からは認識することができない、医用画像診断装置１０上において生成し保管された医用画像の画像情報のうち、所望の機器に未送信のものを外部機器である操作端末６からの操作によって認識することができる。そして、送受信部１５を介して所望の機器に当該画像情報を送信することができる。
【０１１８】
この実施形態の医用画像診断システム１によれば、医用画像診断装置１０を上述した構成としたので、操作端末６からの要求に対し、医用画像診断装置１０の処理部１２が、所望する画像情報のうち不足する分を選択的に送信し、さらに、送信される画像情報の形態も操作端末６からの要求によって指定することができる。これにより、操作端末６において、例えば、画像情報ボリュームデータに変換する必要がないので、操作端末６は、医用画像診断装置１０への指示入力が可能であれば、内部実装によらずに、操作端末６を操作するユーザーが所望する画像情報を、所望する機器に送信することができる。その結果、医用画像診断システム１における、画像情報の管理を操作端末６側で行うことができる。
【０１１９】
つまり、操作端末６が医用画像診断装置１０に、医用画像の再送信指示等の指示入力をすることにより、医用画像診断装置１０は、この指示入力と、通信履歴保管部１７からの画像情報の送信の履歴と、送信条件保管部１６からの画像情報又は医用画像の送信条件とを用いて処理部１２において処理をする。例えば、再送信指示に医用画像の送信単位の指定が含まれ、送受信部が機器に送信する医用画像の送信単位と、送信条件で指定された送信単位とが異なる場合には、処理部１２は、画像情報構成部１３に前記医用画像の送信単位の指定に基づいて前記構成の変換をさせる。
【０１２０】
これにより、操作端末６は、医用画像診断装置１０上において生成し保管された医用画像の画像情報のうち、所望の機器に未送信の画像情報を認識することができ、所望の機器に当該画像情報を送信することができる。その結果、医用画像診断装置に新たな画像情報が追加されても、追加された画像情報を操作端末側からの要求に基づいて適切に所望の機器に受け渡すことができる。このことから、所望の機器に保管された画像情報の更新をする際に、医用画像診断装置１０からマルチフレーム画像データを全て再送する等の必要がないので、素早く更新することが可能となり、更新の際の通信トラフィックを大幅に軽減する事が可能となる。
【０１２１】
＜第２の実施形態＞
［医用画像診断システム］
［医用画像診断システムの装置構成］
この実施形態に係る医用画像診断システム１の構成の全体構成、ハードウェア構成は第１の実施形態の医用画像診断システム１と同様である。
【０１２２】
［医用画像診断システムの機能的構成］
次に、この医用画像診断システム１の機能的構成は、医用画像診断装置１０の構成を除いては第１の実施形態の医用画像診断システム１と同様である。
【０１２３】
図９は、医用画像診断装置１０の構成の詳細を示す機能ブロック図である。図９に示すように、医用画像診断装置１０は、第１の実施形態において示した医用画像診断装置１０の機能的構成に加えて、構成条件保管部１８を備えている。
【０１２４】
この医用画像診断システム１は、操作端末６から送受信部１５を介して指示入力を受けた処理部１２が、第１の実施形態と同様に、保管部１４に保管された画像情報を通信履歴保管部１７から取得した通信の履歴に基づいて解析して未送信画像情報を特定する。処理部１２は、さらに送信条件保管部１６から取得した送信条件に基づいて、この未送信画像情報から、操作端末６が要求する機器へ送信する画像情報を特定する。このとき処理部１２は、操作端末６からの指示入力に基づいて構成条件保管部１８に保管された画像情報の構成条件を参照し、この構成条件に基づくように、この特定された画像情報を画像情報構成部１３で再構成する。処理部１２は、再構成した画像情報を特定の機器に送信する。処理部１２によるこれらの処理によって、医用画像診断システム１は、操作端末６からの指示入力によって医用画像診断装置１０から、特定の機器に未送信の画像情報を、指定された形態で取得することができる。
【０１２５】
（構成条件保管部）
構成条件保管部１８は、画像情報を構成する医用画像の構成条件が予め記憶されており、処理部１２からの要求に応じて構成条件を画像情報構成部１３に送信する。処理部１２からの要求は、操作端末６が指定する機器に送信がされる画像情報と、操作端末６から送受信部１５を介して受けた所望の画像情報の種別とに基づいて行われる。処理部１２は、操作端末６からの再送信指示に医用画像の形態の指定が含まれ、前記送受信部が前記他の機器に送信する医用画像が複数の画像から構成される場合に、画像情報構成部１３に対して、この医用画像を構成する複数の画像から、医用画像の形態の指定と前記構成条件とに基づいて特定された画像を抽出させる。画像情報構成部１３は、構成条件に基づいて機器に送信される画像情報を再構成して、所望の形態の画像情報とする。
【０１２６】
構成条件保管部１８には、例えば、マルチ画像を構成する医用画像の構成条件が予め記憶されている。構成条件保管部１８は、例えば、操作端末６からの指示入力に対応する構成条件を参照することで医用画像をマルチ画像に再構成する。また、画像情報構成部１３は、例えば、マルチ画像を構成条件に基いて複数の医用画像に分割することもできる。
【０１２７】
構成条件は、画像情報を構成するための条件である。構成条件は、複数の画像から構成される医用画像の形態に対応する複数の画像の種別を特定する情報を含む。構成条件は、例えば、複数のシングル画像とマルチ画像との間における構成条件をいう。また、構成条件は、操作端末６、外部機器等が要求する複数のシングル画像を、１つのマルチ画像に統合するときにおける条件である。操作端末６が要求するシングル画像としては、例えば、被検体のスライス画像（断面画像）の時系列データ、位置的データ等が挙げられる。また、統合するための条件としては、例えば、モダリティの種類、撮影軸の位置、スライス厚、スライス方向、スライス観察方向、機能画像であるか形態画像であるか、スカウト画像を含むか等が挙げられる。
【０１２８】
この構成条件を参照することによって、画像情報構成部１３は、例えば、モダリティの種類が限定された医用画像を統合したマルチ画像、撮影軸が同じ医用画像を統合したマルチ画像、スライス厚が同じ医用画像を統合したマルチ画像、スライス方向及びスライス観察方向が同じ医用画像を統合したマルチ画像、機能画像、形態画像であってスカウト画像ではない医用画像を統合したマルチ画像等を生成する。画像情報構成部１３は、画像送信部１２ｂを経由して保管部１４から取得した画像データを、前述の構成条件と照合し、対応する構成条件に基づいて画像情報の再構成を行う。
【０１２９】
また、例えば、医用画像の時系列データ及び空間データを含む画像情報、いわゆる４Ｄデータから、時分割画像として、特定の時刻における被検体の特定の領域を特定方向に特定間隔で切った複数のスライス画像を取得し、この複数のスライス画像から被験体の特定領域を示すボリュームデータを再構成したり、位置分割画像として、被検体の特定の位置におけるスライス画像を時系列に複数枚取得し、この複数のスライス画像から時系列データを再構成して、このスライス画像における時系列変化を、例えば、動画として示したりすることができる。
【０１３０】
図１０は、４Ｄデータから、所望のマルチ画像を取得する場合の構成条件の一例を示す表である。図１０に示すように、この構成条件は、操作端末６の要求に、「動画像で医用画像を取得する」が含まれている場合には、４Ｄデータから所望のスライス位置における「位置分割画像」を複数取得する。また、「ボリュームデータで医用画像を取得する」が含まれている場合には、４Ｄデータから所望の時刻、時間間隔等における「時分割画像」を複数取得する。
【０１３１】
（処理部）
処理部１２は、第１の実施形態と同様に、解析部１２ａと画像送信部１２ｂとを含んで構成される。処理部１２には、画像情報構成部１３と、保管部１４と、送受信部１５と、送信条件適用部１２ｃ、構成条件保管部１８とがそれぞれ接続されており、処理部１２は、操作端末６からの指示入力を受けて、第１の実施の形態と同様にして未送信の画像情報を特定する。また、処理部１２は、操作端末６からの指示入力に対応する、画像情報の構成条件を構成条件保管部１８から取得し、この構成条件を未送信の画像情報とともに画像情報構成部１３に送信する。画像情報構成部１３において、この構成条件に基づき再構成された未送信の画像情報は、処理部１２に送信され、処理部１２は、この再構成された未送信の画像情報を送受信部１５に送信する。
【０１３２】
（解析部）
解析部１２ａには、画像送信部１２ｂと、画像情報構成部１３と、保管部１４と、送受信部１５と、通信履歴保管部１７、構成条件保管部１８とが接続されており、送受信部１５において受信した操作端末６からの指示入力に基づいて、第１の実施形態と同様にして未送信の画像情報を特定し、この情報を画像送信部１２ｂに送る。また、解析部１２ａは、操作端末６からの指示入力を、構成条件保管部１８に保管された構成条件に基づいて解析して、未送信の画像情報の送信形態を取得し、この送信形態を画像情報構成部１３に送る。
【０１３３】
図９に示した構成条件に基づいて、解析部１２ａが未送信の４Ｄデータから送信する医用画像の構成を特定する例を考える。この例において、操作端末６からの指示入力に、条件「時分割画像」が含まれている場合には、解析部１２ａは、構成条件保管部１８を参照して、「４Ｄデータから、所定の時刻からの所定の時間間隔における時分割画像を取得し、分割された位置に応じて並べ、一纏めにすることでボリュームデータとして再構成する」という指示を画像情報構成部１３に送る。操作端末６からの指示入力に、条件「ボリュームデータで取得」が含まれている場合にも、解析部１２ａは、上記と同様な指示を画像情報構成部１３に送る。
【０１３４】
（画像送信部）
画像送信部１２ｂには、解析部１２ａと、画像情報構成部１３と、送受信部１５と、送信条件適用部１２ｃとが接続されており、解析部１２ａから受けた未送信の画像情報を画像情報構成部１３に送信する。また、画像送信部１２ｂは、画像情報構成部１３から受けた再構成後の画像情報を、送信条件適用部１２ｃから取得した送信条件に基づいて、第１の実施形態と同様にして操作端末６が送信を要求した機器に送信する。
【０１３５】
（画像情報構成部）
画像情報構成部１３は、第１の実施の形態において説明した機能に加えて、例えば、保管部１４に保管された画像情報を、時間的、空間的に再構成する機能を有する。
【０１３６】
この実施形態による、医用画像診断システム１の装置構成及びその他の構成は、第１の実施形態と同様である。
【０１３７】
［医用画像診断システムの使用形態］
以上のような構成を有する医用画像診断システム１の使用形態について説明する。図１１に示すフローチャートは、この実施形態の医用画像診断システム１の使用形態の一例を表しており、保管部１４に保管された医用画像を含むボリュームデータのうち、所望の機器に未送信のボリュームデータを処理部１２が特定し、このボリュームデータを所望の形態で、所望の機器に送信する流れを示したものである。
【０１３８】
図１１に示すように、まず、医用画像診断システム１を起動し、操作端末６、医用画像診断装置１０との間の通信を開始する。（ステップＳ００４０）。
【０１３９】
操作端末６は、医用画像診断装置１０に対して、メタ情報（検索条件）として“Remaining volume”と“Number of Temporal Positions”とを指定して検索・送信要求をする。“Number of Temporal Positions”とは、例えば、「位置分割」を意味する（ステップＳ０４１）。
【０１４０】
次に、医用画像診断装置１０の送受信部１５が、操作端末６からの検索・送信要求を受信する（ステップＳ０４２）。送受信部１５は、受信した検索・送信要求を処理部１２に渡し、これを受けて処理部１２は内部に備えられた解析部１２ａを制御する（ステップＳ０４３）。
【０１４１】
解析部１２ａは、図７に示したフローチャートのステップＳ００５〜Ｓ００１０と同様にして、保管部１４に保管されたボリュームデータのうち、送受信部１５に送信されていない「未送信ボリュームデータ」を特定し、更に「送信ボリュームデータ」を特定し、この特定情報を画像送信部１２ｂに送信し、画像送信部１２ｂは保管部１４から「送信ボリュームデータ」を取得する（ステップＳ０４４〜Ｓ０４９）。
【０１４２】
次に、解析部１２ａは、受信したメタ情報“Number of Temporal Positions”に対応する構成条件を構成条件保管部１８から取得し、画像情報構成部１３に送信する（ステップＳ０５０）。
【０１４３】
次に、画像送信部１２ｂは、特定情報に対応する「送信ボリュームデータ」を保管部１４から取得し、画像情報構成部１３に送信する。画像情報構成部１３は、受信した構成条件に基づいて「送信ボリュームデータ」を再構成処理する。ここで、「送信ボリュームデータ」の画像構成が構成条件と一致している場合には再構成処理は行わずに画像送信部１２ｂに送信する。一方で、「送信ボリュームデータ」の画像構成が構成条件と一致していない場合は、構成条件と一致する情報を「送信ボリュームデータ」から取得して再構成の処理を行う（ステップＳ０５１）。
【０１４４】
次に、送信条件適用部１２ｃは、送信条件保管部１６に保管された送受信条件に基づいて、再構成ボリュームデータを操作端末６に送信する形式を特定する。具体的には、「再構成ボリュームデータ」の操作端末６への送受信条件が、ボリュームデータとして送信するという条件の場合（ステップＳ０５２：ＮＯ）には、処理部１２に備えられた画像送信部１２ｂは、保管部１４から解析部１２ａで判定された「再構成ボリュームデータ」を取得して、これをボリュームデータのまま、メタ情報において指定された宛先に送信する（ステップＳ０５４）。
【０１４５】
一方、「再構成ボリュームデータ」の操作端末６への送受信条件が、ボリュームデータを構成する医用画像をそれぞれ送信という条件の場合（ステップＳ０５２：ＹＥＳ）には、処理部１２に備えられた画像送信部１２ｂは、保管部１４から解析部１２ａで判定された「未送信ボリュームデータ」を取得して、このボリュームデータを、医用画像毎に分割して、ボリュームデータから分割されたそれぞれの医用画像を、ステップＳ０４４において指定された宛先に送信する（ステップＳ０５３）。
【０１４６】
＜実施例２＞
次に、この実施形態の医用情報処理システムを用いた実施例について説明する。この実施例は、医用画像診断装置１０をＸ線ＣＴ装置、操作端末６をワークステーションとして、図１１において示したフローチャートに基づいて行うものとする。
【０１４７】
まず、Ｘ線ＣＴ装置及びワークステーションを起動させて、両者の通信を開始する（ステップＳ０４０に対応）。
【０１４８】
次に、ワークステーションは、Ｘ線ＣＴ装置に対してメタ情報（条件）として“Remaining volume”と“Number of Temporal Positions”とを指定して検索・送信要求をする（ステップＳ０４１に対応）。
【０１４９】
次に、Ｘ線ＣＴ装置の通信インターフェイスが、ワークステーションからの検索・送信要求を受信する（ステップＳ０４２に対応）。
【０１５０】
Ｘ線ＣＴ装置のＣＰＵは、ワークステーションから受けたメタ情報“Remaining volume”を解析して、実施例１と同様にして、保管部１４に保管されているボリュームデータから「残りのボリュームデータ」を特定し、さらに「残りのボリュームデータ」から「送信ボリュームデータ」を特定する（ステップＳ０４３〜Ｓ０４８に対応）。このとき、解析部１２ａによって特定された「送信ボリュームデータ」は、時分割画像と位置分割画像とを含む４Ｄデータである。
【０１５１】
次に、Ｘ線ＣＴ装置のＣＰＵは、ワークステーションから受けたメタ情報“Number of Temporal Positions”に対応する構成条件「位置分割」を外部記憶装置に記憶された構成情報から取得し、ＣＰＵは、構成条件「位置分割」に基づいて、４Ｄデータから、位置分割画像を２００枚取得し、時系列に並べて一纏めにすることで２００枚の位置分割画像のボリュームデータとして再構成する（ステップＳ０４９〜Ｓ０５１に対応）。
【０１５２】
次に、Ｘ線ＣＴ装置のＣＰＵは、外部記憶装置に記憶された送信条件に、「ワークステーションにはボリュームを分割した画像の形態で送信する」という送信条件が含まれていることから（ステップＳ０５２：ＹＥＳに対応）、２００枚の位置分割画像１ボリュームを２００枚の位置分割画像に分割し（ステップＳ０５４に対応）、この２００枚の位置分割画像をワークステーションに送信する（ステップＳ０５５に対応）。
【０１５３】
この実施形態による、医用画像診断システム１の使用形態のその他の構成は、第１の実施形態と同様である。
【０１５４】
［医用画像診断装置の作用・効果］
次に、この実施形態の医用画像診断システム１の作用及び効果について説明する。
【０１５５】
処理部１２は、「画像情報を指定する機器に送信する」という指示入力を操作端末６から受けると、第１の実施形態と同様にして、保管部１４に保管された画像情報のうち、操作端末６が指定する機器に未送信の画像情報を特定し、この未送信の画像情報のうち機器に送信が可能な画像情報を特定する。処理部１２は、構成条件保管部１８に保管された画像情報の構成条件から、操作端末６から受けた画像情報の形態条件に対応する構成条件を取得し、この構成条件に基づいて画像情報構成部１３において画像情報を再構成し、再構成した画像情報を操作端末６が指定する機器に送信する。
【０１５６】
この実施形態の医用画像診断システム１によれば、医用画像診断装置１０を上述した構成としたので、第１の実施形態と同様な利点を有するとともに、解析部１２ａが画像情報構成部１３と連携して、送信画像の再構成を行うので、医用画像診断装置１０から操作端末６が指定する機器に送信される画像情報のうち、特定の条件に対応する画像情報を選択的に取得することができる。
【０１５７】
つまり、時分割画像と位置分割画像を含む４Ｄデータを操作端末が指定する機器に送信する画像情報であって、操作端末６が４Ｄデータに含まれる、特定の位置におけるスライス画像の時系列変化の動画を所望する場合、処理部１２は、この指示入力に基づいて画像情報構成部１３に構成条件を問合せる。このとき処理部１２は、取得する構成条件に基づいて画像情報構成部１３で４Ｄデータを特定の位置におけるスライス画像の動画に再構成する。このことから、所望する機器に対して４Ｄデータを送信する必要がないので、所望の画像情報を素早く送信することが可能となり、送信の際の通信トラフィックを大幅に軽減する事が可能となる。また、医用画像診断装置１０から、所望の形態の画像情報が送信されるので、例えば、操作端末６や送信先の機器において、４Ｄデータを動画データに変換する等の、受信先での画像処理が必要なくなる。
【０１５８】
また、この実施形態においては、操作端末６の要求に基づいて、シングル画像毎に処理部１２において特定をして、シングル画像毎に操作端末６が指定する機器に送信してもよい。また、操作端末６による要求のうち、所定の条件で構成されたボリュームデータとする要求を、画像情報のシリーズＩＤを変更することで、まとまりを変更するという要求としてもよい。
【０１５９】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１６０】
１  医用画像診断システム
２  画像保管装置
２Ａ  画像保管部
２Ｂ  送受信部
３  レポート作成支援装置
４  画像観察装置
５  画像処理装置
６  操作端末
６Ａ  操作部
６Ｂ  送受信部
１０  医用画像診断装置
１１  撮影部
１２  処理部
１２ａ  解析部
１２ｂ  画像送信部
１２ｃ  送信条件適用部
１３  画像情報構成部
１４  保管部
１５  送受信部
１６  送信条件保管部
１７  通信履歴保管部
１８  構成条件保管部
１００  コンピュータ
【図１】
2015100579.tif 000003
【図２】
2015100579.tif 000004
【図３】
2015100579.tif 000005
【図４】
2015100579.tif 000006
【図５】
2015100579.tif 000007
【図６】
2015100579.tif 000008
【図７】
2015100579.tif 000009
【図８】
2015100579.tif 000010
【図９】
2015100579.tif 000011
【図１０】
2015100579.tif 000012
【図１１】
2015100579.tif 000013